(57)【特許請求の範囲】
【請求項１】
さし穂を入れた入れ物を収納できる、底（２）と側壁（３）を有するさし穂用輸送容器であって、側壁（３）の高さは側壁（３）の上端がさし穂の上端を超える高さであり、輸送容器（１）には閉鎖できる蓋（４）を設けた輸送容器において、
輸送容器（１）は形状を保持し、耐湿性があり、かつ湿分を通さない材料で製造し、
輸送容器（１）の内部には少なくとも１つの仕切壁（１２）を設け、
前記仕切壁（１２）の底側に一定の間隔で突起（１５）を設け、
前記仕切壁（１２）の突起（１５）は底（２）に設けられた一対の突起（１４）とスナップ結合を形成し、
前記一対の突起（１４）と前記仕切壁（１２）の突起（１５）とによって、前記少なくとも１つの仕切壁（１２）は折りたたみ可能かつ取り外し可能に底（２）に取り付られる
ことを特徴とする輸送容器。
【請求項２】
底（２）、蓋（４）および側壁（３）の少なくとも１つはプレートを取り付けたフレームで構成することを特徴とする請求項１に記載の輸送容器。
【請求項３】
プレートはプラスチック製プレートであることを特徴とする請求項２に記載の輸送容器。
【請求項４】
プレートはセル構造で構成することを特徴とする請求項２または３に記載の輸送容器。
【請求項５】
フレーム（５）はプラスチック製であることを特徴とする請求項２ないし４のいずれか１項に記載の輸送容器。
【請求項６】
フレーム（５）は金属製であることを特徴とする請求項２ないし４のいずれか１項に記載の輸送容器。
【請求項７】
蓋（４）の縁の少なくとも一部には、側壁（３）の少なくとも一部と密着連結する溝（８）を設けることを特徴とする請求項１ないし６のいずれか１項に記載の輸送容器。
【請求項８】
蓋（４）および少なくとも１つの側壁（３）には、蓋を側壁（３）にロックするロック手段（１０）を設けることを特徴とする請求項１ないし７のいずれか１項に記載の輸送容器。
【請求項９】
蓋の上面の周囲近辺に別の輸送容器（１）の底面を受ける隆起縁（９）を設けることを特徴とする請求項１ないし８のいずれか１項に記載の輸送容器。
【請求項１０】
蓋（４）は取り外し式であることを特徴とする請求項１ないし９のいずれか１項に記載の輸送容器。
【請求項１１】
蓋（４）、底（２）および側壁（３）の少なくとも１つには、蒸気とガスは通すが液滴は通さない寸法の細孔（１３）を設けることを特徴とする請求項１ないし１０のいずれか１項に記載の輸送容器。
【請求項１２】
側壁（３）と底（２）とは９０°を超える角度を形成することを特徴とする請求項１ないし１１のいずれか１項に記載の輸送容器。
【請求項１３】
側壁（３）における特定の高さに、少なくとも側壁（３）上端の内壁面よりも外側へ突出する、下面が平坦な突出部（１１）を設けることを特徴とする請求項１２に記載の輸送容器。
【発明の詳細な説明】
【技術分野】
【０００１】
本発明はさし穂を輸送する容器に関する。
【背景技術】
【０００２】
特別の植物を繁殖させる一般的な方法は、さし穂用植物を栽培して、続いてこれらのさし穂を根付かせ、次に根付いたさし穂を生長培地に移植して植物に生長させることである。
【０００３】
さし穂を生産する地域とさし穂を根付かせる地域とはしばしば異なる。例えば、菊のさし穂はアフリカおよび南米諸国における植物生長で得られるが、その後、さし穂はオランダに空輸されて、そこでさし穂を根付かせる。
【０００４】
通常の方法によると、これらのさし穂を入れ物に挿入し、これを互いに結合して特定の長さの細片に形成する。次に、これらの細片を互いに隣接させてボール紙製の箱に入れる。これらの箱に入れたさし穂はその後、根付かせる場所に主として空輸する。ここでさし穂は入れ物とともに箱から取り出し、ボール紙製の箱は廃棄物として捨てる。箱は一度しか使用しないようになっているので、購入や廃棄に必要なコストとは別に、これにより環境に負荷を与えることになるのが欠点となる。さらに、環境によってはボール紙製の箱は湿分を吸収するので、箱の剛性が、結果として箱の形状が失われることになる。これによりさし穂に対する直接の損傷や、断熱を損ない、またさし穂に対して有害となる箱の裂け破損など、好ましくない結果が頻繁に生じる。また箱に湿分が吸収されると、キノコが生長し、さし穂に病気を感染させる可能性がでてくる。さらに、さし穂は乾燥を避けるためにプラスチックで包装する必要がある。
【発明の開示】
【発明が解決しようとする課題】
【０００５】
数回再使用ができ、かつさし穂に関する保護特性が保持できるさし穂用の輸送容器を提供することが発明の目的である。
【課題を解決するための手段】
【０００６】
発明によると、発明の目的は請求項１に記載された輸送容器によって達成される。輸送容器は形状を保持し、耐湿性がありかつ湿分を通さない材料で製造しているので、輸送容器は使用後においてもその形状と使用可能性を保持し、再使用に適している。また、輸送容器は湿分を吸収しないので、病気の発生に確実に影響するキノコの生長が促進されることがない。さらに、輸送容器は湿分不浸透性であるので、さし穂をプラスチックで包装する必要もなくなる。
【０００７】
輸送容器の好ましい実施の形態においては、底、蓋および側壁はプレートを取り付けたフレームで構成される。この方法においては、フレームで構造強度が付与され、プレートで非常に軽くなることから、頑丈でしかも軽量の構造が実現できる。これにより、取扱い容易性が改善されるばかりでなく、航空輸送の観点においても特に有利となる。
【０００８】
フレームおよびプレートの両方に対してプラスチックは要求を満足する適当な材料である。さらに、特に大量生産の場合、プラスチックは有利なコストで製造することができる。しかし、フレームに対しては、異なる耐湿性材料、例えば耐湿性金属を使用することも可能である。
【０００９】
プレートをセル構造にすると、軽量と良好な強度を両立させる良好な組合せが達成でき、しかも断熱特性もかなり改善される。温度の過度のバラツキは避ける必要があるので、このことはさし穂に対して特に重要となる。さらに、セル構造によって輸送容器の強度およびそれにともなうその他の保護特性も改善される。
【００１０】
輸送容器の頑丈性をさらに改善するため、蓋の縁の少なくとも一部に溝を設け、そこに隆起縁のそれぞれの部分を密着させる。このような輸送容器に蓋をすると、蓋は輸送容器全体の剛性増加にかなり貢献する。当然のことであるが、側壁の方に溝を設け、蓋の方に密着突出部を設けても、同じ効果が達成できる。
【００１１】
好ましい実施の形態では、輸送容器の蓋の上面の周囲近辺に、別の輸送容器の底面を受ける隆起縁を設ける。これで輸送容器は確実な方法で積み重ねられる。これは特に輸送容器を自動で取り扱うときに重要となる。
【００１２】
蓋および少なくとも１つの側壁に、蓋を側壁にロックするロック手段を設けることによって、蓋を側壁に取り付けるときの信頼性が高まる。 
【００１３】
輸送容器にさし穂を入れるとき、またそれを再度取り出すとき、蓋が取り外し式であると便利である。このことで作業がかなり簡単になる。
【００１４】
輸送中にさし穂は特有のガスを発生する。蓋、底または側壁の少なくともいずれか１つ、またはこれらの組合せたものに、蒸気とガスは通すが液滴は通さない寸法の細孔を設けることによって、液滴が輸送容器を介して出入りすることなしに、これらのガスは排出されて新鮮な空気が取り入れられる。
【００１５】
側壁と底とは９０°を超える角度が形成されているので、帰路の輸送では有利となる。これにより輸送容器は入れ子が可能となり、帰路の輸送では相当量のスペースが節約でき、この種の輸送のコストに特に有利な影響を与える。
【００１６】
特に輸送容器の自動取扱いに関して、例えば機械装置への充填前または充填時に、輸送容器の底間が相互に完全にまたはほとんど接触せずに、ある程度のスペースを残すように輸送容器を入れ子にすることが好ましい。これは側壁の特定の高さにおいて下面が平坦で、垂直面を超えて少なくとも上枠を超えるところまで突出する突出部を設けることで達成できる。節約したスペースはこのように再度放棄されるけれども、輸送容器のおろし作業が非常に容易になる。
【００１７】
大型輸送容器の場合、輸送容器の内部に少なくとも１つの仕切壁を設けると有利となる。この仕切壁で輸送容器内のスペースは数区画に分割されるので、さし穂を入れた入れ物を安全確実に輸送できることが保証される。帰路輸送中の入れ子に関して、仕切壁を折りたたみ式かつ取り外し式にすると有利となる。また、これによって輸送容器内の入れ物のなくなった細片を返送する十分なスペースが確保される。
【発明の効果】
【００１８】
輸送容器は形状を保持し、耐湿性があり、かつ湿分を通さない材料で製造されているので、使用後においてもその形状と使用可能性を保持し、再使用に適している。また、輸送容器は湿分を吸収しないので、病気の発生に確実に影響するキノコの生長が促進されることがない。さらに、輸送容器は湿分不浸透性であるので、さし穂をプラスチックで包装する必要もなくなる。
【発明を実施するための最良の形態】
【００１９】
図面を参照して発明の好ましい実施の形態の以下の説明によって本発明をさらに詳細に説明する。
【００２０】
図１に全体を符号１を付した輸送容器の概略透視図を示すが、発明の実施の形態によるとこの輸送容器１は底２と側壁３と分離した蓋４とを備える。本実施の形態によると、輸送容器全体は形状を保持し、耐湿性があり、かつ湿分を通さないプラスチックで作られる。底と蓋と全側壁はそれぞれプラスチックプレートが取り付けられたフレームで構成される。
【００２１】
輸送容器のトレイフレームは図２で透視面として示す。このフレームにセル構造のプラスチックプレートを取り付ける。この実施の形態では、図３に示すように、プレートは一定の間隔で結合仕切材７で結合した等距離間隔の２枚の薄板６で構成される。これにより、プレート構造は強度を十分に保ちながら非常に軽量となる。このような構成でフレームも強度に関する要求を満足する。すべてが一緒になって構造が特に軽量でかつ頑丈になる。さらに、プレートがセル構造になっているので輸送容器の断熱特性が特に良好となる。
【００２２】
発明の以上の実施の形態では図４に示すように、全縁に沿って溝８を有する蓋４を備え、この溝８内に側壁３の上縁が密着して取り付けられる。防湿を有効にするため輸送容器を遮断することとは別に、この蓋４は輸送容器の剛性、すなわち形状保持に大きく貢献する。
【００２３】
図５に積み重ねた２つの輸送容器を示すが、上方に積み重ねた輸送容器が適合するよう矩形で形成された隆起縁９を蓋に設ける。隆起縁９によって前記輸送容器が下方輸送容器に対して移動することが防止される。このことは積み重ねた輸送容器を取扱い輸送するのに自動取扱い装置が使用できるので、特に有利となる。
【００２４】
蓋４を側壁３に強固に取り付けるようにするため、蓋の各縁には少なくとも１つの開口付き蓋１０を備え、図６でわかるようにこの開口はロックを形成する側壁３の補足突出部とスナップ結合をする。
【００２５】
また図５は側壁と底とが９０°よりわずかに大きい角度を形成することを示す。このことで、輸送帰路時に積み重ねられた輸送容器は入れ子になるので、空の輸送容器はほとんど場所をとることがない。このため、蓋は取り外される。この蓋は別個に積み重ねて輸送する。
【００２６】
入れ子にした輸送容器を簡単に取り外すために、側壁３の外側に突出部１１を設ける。輸送容器を入れ子にしたとき、下方輸送容器の上縁上に前記突出部１１が当接して輸送容器が置かれるような方法で前記突出部１１は突出する。この突出部は図２に示す。突出部１１の位置は、積み重ねた輸送容器の側壁と底とが互いに接触しない位置とし、また機械的な処理において相当に不都合な原因となりうる吸着によって互いに付着するようなことのない位置とする。置かれた輸送容器の底間のスペースは入れ物のなくなった細片を返送するのに十分である。
【００２７】
輸送するさし穂をさらに保護するために、輸送容器の底２に仕切壁１２を設ける。図１には１つの仕切壁１２を示す。また図１に示すように、底と蓋には一定の間隔で細孔１３が開けられる。これらの細孔はガスと蒸気が通過できるが水分が通過できない大きさである。この方法で輸送容器は水分不透過特性を失うことなく自然の方法で通気できる。
【００２８】
図７に示すように、輸送容器の底面において、発明のこの実施の形態の仕切壁１２には一定の間隔で突起１５が設けられ、底２の一対の突起１４とスナップ結合を形成する。突起１４と１５とによって、仕切壁を使用時には折り上げ、輸送帰路では折りたたむか取り外すことのできるヒンジが形成される。この垂直の状態で仕切壁１２は側壁にロックされるので、入れ物やそこに含まれたさし穂を有する細片から加わる圧力に曝されたときでも仕切壁１２は垂直に保たれる。
【産業上の利用可能性】
【００２９】
さし穂の生産地域とさし穂を根付かせる地域との間でさし穂を輸送する輸送容器として使用できる。
【図面の簡単な説明】
【００３０】
【図１】発明の実施の形態による輸送容器の概略斜視図を示す。
【図２】発明の実施の形態による輸送容器のトレイフレームの上面を示す。
【図３】発明の実施の形態によるセル構造のプレートの断面を示す。
【図４】発明の実施の形態による側壁の１つに蓋を取り付ける方法の詳細を示す。
【図５】発明の実施の形態による積み重ねた２つの輸送容器を示す。
【図６】発明の実施の形態による輸送容器の蓋と側壁の間のロック機構の一例を示す。
【図７】底に仕切壁を取り付けるヒンジ式および取り外し式機構を示す。
【符号の説明】
【００３１】
１    輸送容器
２    底
３    側壁
４    蓋
５    フレーム 
６    板
７    結合仕切材
８    溝
９    隆起縁
１０    ロック
１１    突出部
１２    仕切壁
１３    細孔
【図１】
0005004113.tif 000002
【図２】
0005004113.tif 000003
【図３】
0005004113.tif 000004
【図４】
0005004113.tif 000005
【図５】
0005004113.tif 000006
【図６】
0005004113.tif 000007
【図７】
0005004113.tif 000008